(57)【要約】【課題】電気設備内のそれぞれの配電線が活線状態にあるか否かを作業者が容易に確認する。【解決手段】状態表示システムＳは、電気設備内の１以上の配電線にそれぞれ設けられた表示ユニット１０と、表示ユニット１０と接続された制御ユニット２０とを含む。表示ユニット１０は、表示ユニット１０に対応する配電線が活線状態にあるか否かを検知する電界センサ１６と、第１の表示態様で点灯する第１表示部１１と、第１の表示態様とは異なる第２の表示態様で点灯する第２表示部１２と、を有する。制御ユニット２０は、電界センサ１６による活線状態の検知信号を受信し、受信した活線状態の検知信号に基づき、表示ユニット１０に対応する配電線が活線状態にある場合には第１表示部１１を点灯させ、表示ユニット１０に対応する配電線が活線状態にない場合には第２表示部１２を点灯させる。【選択図】図２
2015175767.tif 000002
【特許請求の範囲】
【請求項１】
電気設備内の１以上の配電線にそれぞれ設けられた１以上の表示装置と、当該１以上の表示装置と接続された制御装置とを含み、
前記表示装置は、
前記表示装置に対応する配電線が活線状態にあるか否かを検知する検知部と、
第１の表示態様で点灯する第１の表示部と、
前記第１の表示態様とは異なる第２の表示態様で点灯する第２の表示部と、を有し、
前記制御装置は、
前記検知部による活線状態の検知信号を受信する受信部と、
前記受信した活線状態の検知信号に基づき、前記表示装置に対応する配電線が活線状態にある場合には前記１の表示部を点灯させ、前記表示装置に対応する配電線が活線状態にない場合には前記第２の表示部を点灯させるように制御する制御部を有する
状態表示システム。
【請求項２】
前記制御装置は、
前記電気設備の盤電源に接続し、当該盤電源から得られる電力を前記表示装置に供給する電源部を有し、
前記制御部は、前記電源部からの電力を、前記表示装置に対応する配電線が活線状態にある場合には前記第１の表示部に供給させ、前記表示装置に対応する配電線が活線状態にない場合には前記第２の表示部に供給させ、
前記第１の表示部と前記第２の表示部はそれぞれ、前記電源部から電力が供給されている間に点灯する
請求項１に記載の状態表示システム。
【請求項３】
前記制御装置は、
前記電気設備の扉に備えられた開閉センサから出力される前記扉の開閉状態の検知信号を受信する開閉検知信号受信部を有し、
前記受信した前記扉の開閉状態の検知信号に基づき、前記扉が開状態にある場合には前記電源部からの電力を前記表示装置に提供し、前記扉が閉状態にある場合には前記電源部からの電力を前記表示装置に提供しない
請求項２に記載の状態表示システム。
【請求項４】
前記電源部から前記表示装置の電源回路への電力供給の導通と遮断を切り替える第１のスイッチと、
前記第１の表示部と前記第２の表示部のうち一方とのみ、前記電源回路と導通状態になるように切り替える第２のスイッチと、を有し、
前記制御部は、前記扉が開状態にある場合に前記第１のスイッチを導通状態に切り替えるとともに、前記扉が閉状態にある場合に前記第１のスイッチを遮断状態に切り替え、
前記制御部は、前記表示装置に対応する配電線が活線状態にある場合には、前記第２のスイッチを前記電源回路と前記第１の表示部が導通状態となるように切り替え、前記表示装置に対応する配電線が活線状態にない場合には、前記第２のスイッチを前記電源回路と前記第２の表示部が導通状態となるように切り替える
請求項３に記載の状態表示システム。
【請求項５】
前記検知部は、前記表示装置に対応する配電線の電界、電圧、磁界又は電流を検出し、検出した電界、電圧、磁界又は電流に基づいて当該配電線が活線状態にあるか否かを検知する
請求項１乃至４のいずれかに記載の状態表示システム。
【請求項６】
前記制御装置は、
前記受信した活線状態の検知信号に基づき、前記表示装置に対応する配電線が活線状態にある場合には警告音を出力する出力部を有する
請求項１乃至５のいずれかに記載の状態表示システム。
【請求項７】
前記第１の表示部は、投影装置が前記第１の表示態様を表す第１の投影画像を前記配電線に投影することで実現され、
前記第２の表示部は、投影装置が前記第２の表示態様を表す第２の投影画像を前記配電線に投影することで実現される
請求項１に記載の状態表示システム。
【請求項８】
電気設備内の配電線に設けられた表示装置であって、
前記配電線が活線状態にあるか否かを検知する検知部と、
第１の表示態様で点灯する第１の表示部と、
前記第１の表示態様とは異なる第２の表示態様で点灯する第２の表示部と、
前記検知部による活線状態の検知信号を制御装置に送信する送信部と、を有し、
前記制御装置は、
前記検知部による活線状態の検知信号を受信する受信部と、
前記受信した活線状態の検知信号に基づき、前記表示装置に対応する配電線が活線状態にある場合には前記第１の表示部を点灯させ、前記表示装置に対応する配電線が活線状態にない場合には前記第２の表示部を点灯させるように制御する制御部を有する
表示装置。
【請求項９】
電気設備内の１以上の配電線にそれぞれ設けられた１以上の表示装置と接続された制御装置であって、
前記表示装置は、
前記表示装置に対応する配電線が活線状態にあるか否かを検知する検知部と、
第１の表示態様で点灯する第１の表示部と、
前記第１の表示態様とは異なる第２の表示態様で点灯する第２の表示部と、を有し、
前記制御装置は、
前記検知部による活線状態の検知信号を受信する受信部と、
前記受信した活線状態の検知信号に基づき、前記表示装置に対応する配電線が活線状態にある場合には前記第１の表示部を点灯させ、前記表示装置に対応する配電線が活線状態にない場合には前記第２の表示部を点灯させるように制御する制御部を有する
制御装置。
【請求項１０】
電気設備内の１以上の配電線にそれぞれ設けられた１以上の表示装置と、当該１以上の表示装置と接続された制御装置とによる状態表示方法であって、
第１の表示態様で点灯する第１の表示部と、前記第１の表示態様とは異なる第２の表示態様で点灯する第２の表示部と、を有する前記表示装置は、
前記表示装置に対応する配電線が活線状態にあるか否かを検知し、
前記制御装置は、
前記表示装置が検知した活線状態の検知信号を受信し、
前記受信した活線状態の検知信号に基づき、前記表示装置に対応する配電線が活線状態にある場合には前記第１の表示部を点灯させ、前記表示装置に対応する配電線が活線状態にない場合には前記第２の表示部を点灯させる
状態表示方法。
【発明の詳細な説明】
【技術分野】
【０００１】
本発明は、状態表示システム、表示装置、制御装置及び状態表示方法に関する。
【背景技術】
【０００２】
電気設備の内部の作業において、感電災害の発生を抑止することは極めて重要である。これに対して、例えば特許文献１には、作業者が電流検出器により１つ１つの電線に電気が流れているか否かを確認する作業を容易とするための手首装着式の検出器の発明が開示されている。
【先行技術文献】
【特許文献】
【０００３】
【特許文献１】特開２０１１−２２７０９０号公報
【発明の概要】
【発明が解決しようとする課題】
【０００４】
しかしながら、従来技術のように１つ１つの電線に対して作業者が確認作業を行うことは手間であるし、作業忘れの箇所も発生し易く、確認が容易とはいえなかった。
【０００５】
本発明の目的は、電気設備内のそれぞれの配電線が活線状態にあるか否かを作業者が容易に確認することができる状態表示システム、表示装置、制御装置及び状態表示方法を提供することにある。
【課題を解決するための手段】
【０００６】
上記目的を達成するために、本発明に係る状態表示システムは、電気設備内の１以上の配電線にそれぞれ設けられた１以上の表示装置と、当該１以上の表示装置と接続された制御装置とを含み、前記表示装置は、前記表示装置に対応する配電線が活線状態にあるか否かを検知する検知部と、第１の表示態様で点灯する第１の表示部と、前記第１の表示態様とは異なる第２の表示態様で点灯する第２の表示部と、を有し、前記制御装置は、前記検知部による活線状態の検知信号を受信する受信部と、前記受信した活線状態の検知信号に基づき、前記表示装置に対応する配電線が活線状態にある場合には前記第１の表示部を点灯させ、前記表示装置に対応する配電線が活線状態にない場合には前記第２の表示部を点灯させるように制御する制御部を有する。
【０００７】
本発明の一態様では、前記制御装置は、前記電気設備の盤電源に接続し、当該盤電源から得られる電力を前記表示装置に供給する電源部を有し、前記制御部は、前記電源部からの電力を、前記表示装置に対応する配電線が活線状態にある場合には前記第１の表示部に供給させ、前記表示装置に対応する配電線が活線状態にない場合には前記第２の表示部に供給させ、前記第１の表示部と前記第２の表示部はそれぞれ、前記電源部から電力が供給されている間に点灯するようにしてよい。
【０００８】
本発明の一態様では、前記制御装置は、前記電気設備の扉に備えられた開閉センサから出力される前記扉の開閉状態の検知信号を受信する開閉検知信号受信部を有し、前記受信した前記扉の開閉状態の検知信号に基づき、前記扉が開状態にある場合には前記電源部からの電力を前記表示装置に提供し、前記扉が閉状態にある場合には前記電源部からの電力を前記表示装置に提供しないようにしてよい。
【０００９】
本発明の一態様では、状態表示システムは、前記電源部から前記表示装置の電源回路への電力供給の導通と遮断を切り替える第１のスイッチと、前記第１の表示部と前記第２の表示部のうち一方とのみ、前記電源回路と導通状態になるように切り替える第２のスイッチと、を有し、前記制御部は、前記扉が開状態にある場合に前記第１のスイッチを導通状態に切り替えるとともに、前記扉が閉状態にある場合に前記第１のスイッチを遮断状態に切り替え、前記制御部は、前記表示装置に対応する配電線が活線状態にある場合には、前記第２のスイッチを前記電源回路と前記第１の表示部が導通状態となるように切り替え、前記表示装置に対応する配電線が活線状態にない場合には、前記第２のスイッチを前記電源回路と前記第２の表示部が導通状態となるように切り替えるようにしてよい。
【００１０】
本発明の一態様では、前記検知部は、前記表示装置に対応する配電線の電界、電圧、磁界又は電流を検出し、検出した電界、電圧、磁界又は電流に基づいて当該配電線が活線状態にあるか否かを検知するようにしてよい。
【００１１】
本発明の一態様では、前記制御装置は、前記受信した活線状態の検知信号に基づき、前記表示装置に対応する配電線が活線状態にある場合には警告音を出力する出力部を有するようにしてよい。
【００１２】
本発明の一態様では、前記第１の表示部は、投影装置が前記第１の表示態様を表す第１の投影画像を前記配電線に投影することで実現され、前記第２の表示部は、投影装置が前記第２の表示態様を表す第２の投影画像を前記配電線に投影することで実現されるようにしてよい。
【００１３】
本発明に係る表示装置は、電気設備内の配電線に設けられた表示装置であって、前記配電線が活線状態にあるか否かを検知する検知部と、第１の表示態様で点灯する第１の表示部と、前記第１の表示態様とは異なる第２の表示態様で点灯する第２の表示部と、前記検知部による活線状態の検知信号を制御装置に送信する送信部と、を有し、前記制御装置は、前記検知部による活線状態の検知信号を受信する受信部と、前記受信した活線状態の検知信号に基づき、前記表示装置に対応する配電線が活線状態にある場合には前記第１の表示部を点灯させ、前記表示装置に対応する配電線が活線状態にない場合には前記第２の表示部を点灯させるように制御する制御部を有する。
【００１４】
本発明に係る制御装置は、電気設備内の１以上の配電線にそれぞれ設けられた１以上の表示装置と接続された制御装置であって、前記表示装置は、前記表示装置に対応する配電線が活線状態にあるか否かを検知する検知部と、第１の表示態様で点灯する第１の表示部と、前記第１の表示態様とは異なる第２の表示態様で点灯する第２の表示部と、を有し、前記制御装置は、前記検知部による活線状態の検知信号を受信する受信部と、前記受信した活線状態の検知信号に基づき、前記表示装置に対応する配電線が活線状態にある場合には前記第１の表示部を点灯させ、前記表示装置に対応する配電線が活線状態にない場合には前記第２の表示部を点灯させるように制御する制御部を有する。
【００１５】
本発明に係る状態表示方法は、電気設備内の１以上の配電線にそれぞれ設けられた１以上の表示装置と、当該１以上の表示装置と接続された制御装置とによる状態表示方法であって、第１の表示態様で点灯する第１の表示部と、前記第１の表示態様とは異なる第２の表示態様で点灯する第２の表示部と、を有する前記表示装置は、前記表示装置に対応する配電線が活線状態にあるか否かを検知し、前記制御装置は、前記表示装置が検知した活線状態の検知信号を受信し、前記受信した活線状態の検知信号に基づき、前記表示装置に対応する配電線が活線状態にある場合には前記第１の表示部を点灯させ、前記表示装置に対応する配電線が活線状態にない場合には前記第２の表示部を点灯させる。
【発明の効果】
【００１６】
本発明の一態様によれば、電気設備内のそれぞれの配電線が活線状態にあるか否かを作業者が容易に確認することができる。
【図面の簡単な説明】
【００１７】
【図１】本実施形態に係る状態表示システムを含む電気設備の外観を示す図である。
【図２】状態表示システムのシステム構成例を示す図である。
【図３】表示ユニットの機能構成例を示す図である。
【図４】制御ユニットの機能構成例を示す図である。
【図５】状態表示システムにおいて行われる処理の具体例を説明する図である。
【図６】プロジェクタを含む状態表示システムのシステム構成例を示す図である。
【発明を実施するための形態】
【００１８】
以下、本発明を実施するための実施の形態（以下、実施形態という）を、図面に基づき説明する。
【００１９】
［１．電気設備の外観］
図１には、本実施形態に係る状態表示システムＳを適用した電気設備Ｆ（例えば配電設備）の外観図を示した。図１に示されるように、電気設備Ｆは、内部に１以上の配電線１と、それぞれの配電線１に設けられた表示ユニット１０と、それぞれの表示ユニット１０と接続された制御ユニット２０と、制御ユニット２０、配電線１にそれぞれ電源を供給する盤電源５と、電気設備Ｆの扉Ｄの開閉を検知する開閉センサ３０とが設けられている。
【００２０】
なお、本実施形態に係る状態表示システムＳは、表示ユニット１０、制御ユニット２０、開閉センサ３０を含むものとするが、開閉センサ３０は必ずしも含まれていなくとも構わない。また、配電線１は、絶縁被膜のある導線であってもよいし、銅バー等の絶縁被膜のない導線であってもよい。
【００２１】
そして、状態表示システムＳは、電気設備Ｆの扉Ｄが開けられた場合に、電気設備Ｆ内の配電線１のそれぞれが活線状態にあるか、活線状態にないか（死線か）を判断し、活線状態であるか否かに応じて異なる態様で対応する表示ユニット１０を光らせることにより、作業者が電気設備Ｆ内の各配電線１が活線状態にあるか否かを目視により容易に確認可能とするものである。なお、本実施形態における、活線状態とは、配電線に電圧がかかっている状態、電流が流れている状態の少なくともいずれか又は両方の状態をいう。以下、上述した機能を実現するために状態表示システムＳに備えられる構成の詳細について説明する。
【００２２】
［２．状態表示システムＳの構成］
図２には、状態表示システムＳのシステム構成例を説明する図を示した。図２に示される例では、状態表示システムＳは、少なくとも１つの表示ユニット１０と、制御ユニット２０と、開閉センサ３０とを含み、表示ユニット１０と制御ユニット２０とは信号線ＳＬと電源線ＰＬとで接続されており、開閉センサ３０と制御ユニット２０は信号線ＳＬで接続されている。なお、図２では、簡単のため表示ユニット１０を１つだけ示しているが、他の表示ユニット１０も同様の構成を有していることとしてよい。以下、各部の構成の詳細について説明する。
【００２３】
［２．１．表示ユニット１０のＨ／Ｗ構成］
表示ユニット１０は、ハードウェア構成として、第１表示部１１、第２表示部１２、コネクタ部１３、電界センサ１６、制御回路１７を備える。なお、表示ユニット１０は、一の配電線１に対して一つ設けられることとしてよく、表示ユニット１０と配電線１とは絶縁体を介して固定されていることとしてよい。
【００２４】
第１表示部１１は、１以上の第１の発光素子１１Ａを有しており、制御回路１７による制御に応じて発光状態と、非発光状態を切り替える。例えば、第１表示部１１は、対応する配電線１が活線状態にある場合に発光し、活線状態にない場合には発光を停止することとしてよい。なお、第１の発光素子１１Ａは、例えば第１の色（例えば赤）で発光するレーザーダイオード、蛍光灯、電球（白熱電球）等としてよい。
【００２５】
第２表示部１２は、１以上の第２の発光素子１２Ａを有しており、制御回路１７による制御に応じて発光状態と、非発光状態を切り替える。例えば、第２表示部１２は、対応する配電線１が活線状態にない場合に発光し、活線状態にある場合には発光を停止することとしてよい。なお、第２の発光素子１２Ａは、例えば第２の色（例えば緑）で発光するレーザーダイオード、蛍光灯、電球（白熱電球）等としてよい。
【００２６】
コネクタ部１３は、信号線ＳＬ、電源線ＰＬを制御ユニット２０と接続するための接続部である。例えば、コネクタ部１３は、信号線ＳＬを接続するための信号線コネクタ１４、電源線ＰＬを接続するための電源線コネクタ１５を有していることとしてよい。
【００２７】
電界センサ１６は、表示ユニット１０が設けられる配電線１の電界を検出する素子である。本実施形態では、配電線１の活線状態（例えば通電）を検知するために、電界センサ１６を用いる例を説明するが、配電線１の活線状態（例えば通電）を検知するために、電圧センサ、電流センサ、磁気センサ等の他のセンサを用いることとしても構わない。
【００２８】
制御回路１７は、表示ユニット１０の各部を制御するコントローラである。例えば、制御回路１７は、第１表示部１１や第２表示部１２の点灯と消灯を制御するほか、コネクタ部１３を介して、電界センサ１６で検出された検出値を制御ユニット２０に送信したり、制御ユニット２０から制御信号を受信したりする。
【００２９】
［２．２．制御ユニット２０のＨ／Ｗ構成］
次に、制御ユニット２０のハードウェア構成例について説明する。図２に示されるように、制御ユニット２０は、電源コネクタ部２１、電源制御回路２２、表示ユニット用信号コネクタ２３、開閉センサ用信号コネクタ２４、信号制御回路２５を有する。
【００３０】
電源コネクタ部２１は、電源線ＰＬを介して表示ユニット１０の電源線コネクタ１５と接続し、制御ユニット２０に電力を供給する。
【００３１】
電源制御回路２２は、盤電源５と接続し盤電源５から電力供給を受けるとともに、電源コネクタ部２１とも接続し、盤電源５から供給された電力を、電源コネクタ部２１を介して表示ユニット１０に供給する。
【００３２】
表示ユニット用信号コネクタ２３は、信号線ＳＬを介して表示ユニット１０の信号線コネクタ１４と接続し、表示ユニット１０とデータ通信する。
【００３３】
開閉センサ用信号コネクタ２４は、信号線Ｌを介して開閉センサ３０と接続し、開閉センサ３０から扉Ｄの開閉状態を示す開閉信号を受信する。
【００３４】
信号制御回路２５は、表示ユニット用信号コネクタ２３と、開閉センサ用信号コネクタ２４と接続し、表示ユニット用信号コネクタ２３と、開閉センサ用信号コネクタ２４を介して受け付けた信号に基づいて、それぞれの表示ユニット１０に対して第１表示部１１又は第２表示部１２のいずれかを光らせるための制御信号を送信する。
【００３５】
［３．表示ユニット１０の機能構成］
図３には、表示ユニット１０に備えられた機能を説明する図を示した。図３に示されるように、表示ユニット１０は、機能的な構成として、第１表示部１１、第２表示部１２、電界センサ１６、電源部１０１、制御部１００、通信部１０２を備える。なお、第１表示部１１、第２表示部１２、電界センサ１６については既に説明したため、以下では電源部１０１、制御部１００、通信部１０２の機能について説明する。
【００３６】
電源部１０１は、第１スイッチ３０１、第２スイッチ３０３、変圧回路３０２を備える。第１スイッチ３０１は、電源線コネクタ１５と接続されており、表示ユニット１０への電源供給のＯＮとＯＦＦとを切り替えるスイッチである。第２スイッチ３０３は、変圧回路３０２を、第１表示部１１と第２表示部１２のいずれかに接続するように切り替えるスイッチである。変圧回路３０２は、表示ユニット１０に入力された電圧を、第１表示部１１、第２表示部１２、電界センサ１６の駆動電圧に変換して出力する機能を有する。なお、第１スイッチ３０１と第２スイッチ３０３は例えば１以上の半導体素子により構成されることとしてよく、第１スイッチ３０１と第２スイッチ３０３の切り替えは、制御部１００による制御信号（ゲート電圧）に基づいて制御されることとしてよい。
【００３７】
制御部１００は、電界センサ１６による検出値を、通信部１０２を介して制御ユニット２０に送信するとともに、制御ユニット２０から受信した制御信号に基づいて、第１スイッチ３０１及び第２スイッチ３０３の切り替えを制御する。例えば、制御部１００は、制御ユニット２０から第１スイッチ３０１及び第２スイッチ３０３のそれぞれの切替信号を受信し、切替信号に基づいて第１スイッチ３０１と第２スイッチ３０３の制御をしてよい。また、制御部１００は、制御ユニット２０から扉Ｄの開信号を受信した場合に、第１スイッチ３０１をＯＮ（導通）に切り替え、制御ユニット２０から扉Ｄの閉信号を受信した場合に、第１スイッチ３０１をＯＦＦ（遮断）に切り替えることとしてもよい。さらに、制御部１００は、電界センサ１６により検出された電界値が閾値以上である場合には、活線状態と判断して、第２スイッチ３０３を第１表示部１１に接続するように切り替え、電界センサ１６により検出された電界値が閾値未満である場合には、配電線が活線状態でない（死線である）と判断して、第２スイッチ３０３を第２表示部１２に接続するように切り替えるようにしてもよい。
【００３８】
通信部１０２は、信号線コネクタ１４と接続されており、表示ユニット１０と信号通信を行う。
【００３９】
［４．制御ユニット２０の機能構成］
次に、図４に基づき、制御ユニット２０の機能構成について説明する。図４には、制御ユニット２０の機能ブロック図を示した。図４に示されるように、制御ユニット２０は、機能的に、電力供給部２００、扉開閉信号取得部２０１、第１スイッチ切替判定部２０２、電界信号取得部２０３、第２スイッチ切替判定部２０４、スイッチ制御信号送信部２０５、警告音出力部２０６を備える。
【００４０】
電力供給部２００は、例えば、電源制御回路２２と電源コネクタ部２１を含み実現され、制御ユニット２０に接続されたそれぞれの表示ユニット１０に対して駆動電力を供給する。
【００４１】
扉開閉信号取得部２０１は、例えば、信号制御回路２５と開閉センサ用信号コネクタ２４を含み実現され、開閉センサ３０から扉Ｄの開閉状態を示す開閉信号を取得する。
【００４２】
第１スイッチ切替判定部２０２は、例えば、信号制御回路２５を含み実現され、扉開閉信号取得部２０１により取得した開閉信号が開状態を示す場合には、第１スイッチ３０１をＯＮ（導通）に切り替えることと判定し、扉開閉信号取得部２０１により取得した開閉信号が閉状態を示す場合には、第１スイッチ３０１をＯＦＦ（遮断）に切り替えることと判定する。
【００４３】
電界信号取得部２０３は、例えば、信号制御回路２５と表示ユニット用信号コネクタ２３を含み実現され、制御ユニット２０と接続された各表示ユニット１０で検出された電界信号を取得する。なお、各表示ユニット１０から取得する電界信号には、例えば表示ユニット１０の個体識別情報（表示ユニット１０ＩＤ）、電界値、検出日時の情報が含まれることとしてよい。
【００４４】
第２スイッチ切替判定部２０４は、例えば、信号制御回路２５を含み実現され、電界信号取得部２０３で取得した電界信号に基づき第２スイッチ３０３の接続先を、第１表示部１１とするか第２表示部１２とするかを判定する。例えば、第２スイッチ切替判定部２０４は、電界信号が示す電界値が閾値以上であれば、第２スイッチ３０３の接続先を第１表示部１１とし、電界信号が示す電界値が閾値未満であれば、第２スイッチ３０３の接続先を第２表示部１２とするように判定することとしてよい。
【００４５】
スイッチ制御信号送信部２０５は、例えば、信号制御回路２５と表示ユニット用信号コネクタ２３を含み実現され、各表示ユニット１０に対して第１スイッチ３０１と第２スイッチ３０３の切替を命令する制御信号を送信する。例えば、スイッチ制御信号送信部２０５は、第１スイッチ３０１関しては、全ての表示ユニット１０に対して一斉に切替命令を報知することとしてよい。また、スイッチ制御信号送信部２０５は、第２スイッチ３０３に関しては、電界信号に含まれる個体識別情報の表示ユニット１０に対して、当該電界信号に基づいて第２スイッチ切替判定部２０４で判定された結果に基づく切替命令を個別に送信することとしてよい。
【００４６】
警告音出力部２０６は、例えば、信号制御回路２５と図示しないスピーカを含み実現され、電気設備Ｆ内の配電線１の中に活線状態の配電線１が１つでも含まれている場合に警告音を出力する。
【００４７】
［５．制御処理の一例］
図５には、本実施形態に係る状態表示システムＳにおいて行われる処理の一例を説明したシーケンス図である。
【００４８】
図５に示されるように、開閉センサ３０は扉Ｄが閉状態の間は待機し（Ｓ１０１：Ｎ）、閉状態から開状態になったことを検知した場合には（Ｓ１０１：Ｙ）、制御ユニット２０に開信号を送信する（Ｓ１０２）。
【００４９】
制御ユニット２０は、開閉センサ３０から開信号を受信すると、表示ユニット１０に対して第１スイッチ３０１をＯＮとする命令を送信する（Ｓ１０３）。
【００５０】
表示ユニット１０は、制御ユニット２０から第１スイッチ３０１のＯＮ命令を受信すると、第１スイッチ３０１をＯＮに切り替えて（Ｓ１０４）、制御ユニット２０からの駆動電力の供給を受ける。そして、表示ユニット１０は、駆動させた電界センサ１６により検出された電界信号を取得し（Ｓ１０５）、取得した電界信号を制御ユニット２０に送信する（Ｓ１０６）。
【００５１】
制御ユニット２０は、表示ユニット１０から電界信号を受信すると、受信した電界信号が活線状態を示している場合には（Ｓ１０７：Ｙ）、第１表示部１１をＯＮ（点灯）とする命令を設定し（Ｓ１０８）、受信した電界信号が活線状態を示していない場合には（Ｓ１０７：Ｎ）、第２表示部１２をＯＮ（点灯）とする命令を設定する（Ｓ１０９）。そして、制御ユニット２０は、Ｓ１０８又はＳ１０９で設定した命令に基づいて生成した第２スイッチ３０３の制御命令を表示ユニット１０に対して送信する（Ｓ１１０）。
【００５２】
表示ユニット１０は、制御ユニット２０から第２スイッチ３０３の制御命令を受信すると、受信した制御命令に基づいて第２スイッチ３０３の接続先を第１表示部１１又は第２表示部１２に切り替える制御を実行する（Ｓ１１１）。そして、表示ユニット１０は、電界センサ１６による次回の検知タイミングが到来していない場合には（Ｓ１１２：Ｎ）、待機し、電界センサ１６による次回の検知タイミングが到来した場合には（Ｓ１１２：Ｙ）、Ｓ１０５に戻りそれ以降の処理を繰り返す。
【００５３】
また、開閉センサ３０は、Ｓ１０２の後において、扉Ｄが開状態の間は待機し（Ｓ１１３：Ｎ）、開状態から閉状態になったことを検知した場合には（Ｓ１１３：Ｙ）、制御ユニット２０に閉信号を送信する（Ｓ１１４）。
【００５４】
制御ユニット２０は、開閉センサ３０から閉信号を受信すると、表示ユニット１０に対して第１スイッチ３０１をＯＦＦとする命令を送信する（Ｓ１１５）。
【００５５】
表示ユニット１０は、制御ユニット２０から第１スイッチ３０１のＯＦＦ命令を受信すると、第１スイッチ３０１をＯＦＦに切り替えて（Ｓ１１６）、第１表示部１１、第２表示部１２、電界センサ１６の電力消費を停止させる。
【００５６】
以上説明した本実施形態に係る状態表示システムＳによれば、作業者が電気設備Ｆ内に設けられた配電線１の各々が活線状態にあるか否かを視覚的に容易に確認することができる。
【００５７】
また、以上説明した実施形態は具体例として示したものであり、本明細書にて開示される発明をこれら具体例の構成そのものに限定するものではない。当業者はこれら開示された実施形態に種々の変形、例えば、物理的構成の形状や数を変更してもよい。本明細書にて開示される発明の技術的範囲は、そのようになされた変形をも含むものと理解すべきである。
【００５８】
例えば、上記の実施形態では、表示ユニット１０に備えられる第１表示部１１と第２表示部１２を発光素子により実現する例について説明したが、表示ユニット１０が対応する配電線１に対して、プロジェクタにより投影する光の色を切り替えることで配電線１が活線状態にあるか否かを表すようにしてもよい。
【００５９】
図６には、配電線１に対しプロジェクタにより活線、死線状態を示す投影画像を投影させて表示する場合の状態表示システムＳの構成例を示した。図６に示されるように、状態表示システムＳは、配電線に設けられた表示ユニット１０と、制御ユニット２０と、プロジェクタ５００とを備える。プロジェクタ５００は、表示ユニット１０ごとに設けられていてもよいし、１つであってもよい。そして、図６に示す状態表示システムＳの例では、制御ユニット２０は、対象の表示ユニット１０（又は対象の配電線１）に対して、対象の配電線１が活線状態である場合には、プロジェクタ５００により活線状態に対応する第１の投影画像５０１（例えば赤色の投影画像）を投影させ、対象の配電線１が活線状態でない（死線状態である）場合には、プロジェクタ５００により死線状態に対応する第２の投影画像５０２（例えば緑色の投影画像）を投影させるようにしてよい。
【符号の説明】
【００６０】
１  配電線、１０  表示ユニット、２０  制御ユニット、５  盤電源、Ｆ  電気設備、Ｄ  扉、３０  開閉センサ。
【図１】
2015175767.tif 000003
【図２】
2015175767.tif 000004
【図３】
2015175767.tif 000005
【図４】
2015175767.tif 000006
【図５】
2015175767.tif 000007
【図６】
2015175767.tif 000008